(57)【特許請求の範囲】
【請求項１】
一次側の配管を主弁の閉鎖状態の予作動式流水検知装置に接続すると共に、該検知装置に閉鎖型スプリンクラーヘッドを設けた二次側の配管を接続し、上記二次側の減圧を検出する二次側減圧監視スイッチを設け、火災感知器の火災感知に基づく火災感知信号と、上記スプリンクラーヘッドの開放による上記二次側減圧監視スイッチの減圧検出信号とによって上記予作動式流水検知装置の上記主弁を開放する予作動制御部を有する予作動式消火設備において、
上記火災感知器の接続線の断線を検出し第１の断線検出信号を発生する第１の断線検出回路と、上記二次側減圧監視スイッチの接続線の断線を検出し第２の断線検出信号を発生する第２の断線検出回路を設け、
上記第１の断線検出信号を検出している状態において、上記減圧検出信号を検出したとき、又は、上記第２の断線検出信号を検出している状態において、上記火災感知信号を検出したとき、上記予作動式流水検知装置の上記主弁を開放するための主弁開放信号を発生する主弁開放手段を設けたものであることを特徴とする予作動式消火設備。
【請求項２】
上記主弁開放手段は、上記第１の断線検出信号と上記第２の断線検出信号を共に検出したとき、上記予作動式流水検知装置の上記主弁を開放するための上記主弁開放信号を発生するものであることを特徴とする請求項１記載の予作動式消火設備。
【請求項３】
一次側の配管を主弁の閉鎖状態の予作動式流水検知装置に接続すると共に、該検知装置に閉鎖型スプリンクラーヘッドを設けた二次側の配管を接続し、上記二次側の減圧を検出する二次側減圧監視スイッチを設け、火災感知器の火災感知に基づく火災感知信号と、上記スプリンクラーヘッドの開放による上記二次側減圧監視スイッチの減圧検出信号とによって上記予作動式流水検知装置の上記主弁を開放する予作動制御部を有する予作動式消火設備において、
上記火災感知器の接続線の断線を検出し第１の断線検出信号を発生する第１の断線検出回路と、上記二次側減圧監視スイッチの接続線の断線を検出し第２の断線検出信号を発生する第２の断線検出回路を設け、
上記第１の断線検出信号と上記第２の断線検出信号を共に検出したとき、上記予作動式流水検知装置の上記主弁を開放するための主弁開放信号を発生する主弁開放手段を設けたものであることを特徴とする予作動式消火設備。
【請求項４】
一次側の配管を主弁の閉鎖状態の予作動式流水検知装置に接続すると共に、該検知装置に閉鎖型スプリンクラーヘッドを設けた二次側の配管を接続し、上記二次側の減圧を検出する二次側減圧監視スイッチを設け、火災感知器の火災感知に基づく火災感知信号と、上記スプリンクラーヘッドの開放による上記二次側減圧監視スイッチの減圧検出信号とによって上記予作動式流水検知装置の上記主弁を開放する予作動制御部を有する予作動式消火設備において、
上記二次側減圧監視スイッチの接続線の断線を検出し断線検出信号（Ｓ４）を発生する断線検出回路（２５ｂ）を設け、
上記断線検出信号（Ｓ４）を検出している状態において、上記火災感知信号を検出したとき、上記予作動式流水検知装置の上記主弁を開放するための主弁開放信号を発生する主弁開放手段を設けたものであることを特徴とする予作動式消火設備。
【請求項５】
上記予作動式流水検知装置の上記主弁が開放した状態において、上記閉鎖型スプリンクラーヘッドの開放に基づく一次側の配管の圧力低下に基づいて、消火ポンプを駆動して上記一次側の配管に消火水を加圧送水する消火ポンプ駆動手段を設けたものであることを特徴とする請求項１〜４の何れかに記載の予作動式消火設備。
【発明の詳細な説明】
【技術分野】
【０００１】
本発明は例えばオフィスビル、集合住宅、ホテル等のスプリンクラー設備に用いて好適な予作動式消火設備に関するものである。
【背景技術】
【０００２】
従来、オフィスビル等のスプリンクラー設備において、予作動式流水検知装置（２ステップバルブ）による消火設備が各種提案されている。この種の消火設備は、熱又は煙による火災感知器の作動と、熱によるスプリンクラーヘッドの開放（発砲）の２つの作動状態を検知することにより、主たるバルブ（主弁）を開放して予作動式流水検知装置の一次側から二次側のスプリンクラーヘッドに消火水を加圧送水して消火動作を行う装置である。
【０００３】
かかる装置では、複数の火災感知器を接続線により接続すると共に、接続線を通して制御盤に電気的に接続し、何れかの火災感知器において熱又は煙を感知したとき、当該感知器から発する感知信号を上記接続線を通して上記制御盤にて検知し、かつこれに基づいて予作動式流水検知装置の主弁を開放して一次側の消火水を二次側配管に供給し、その後は消火ポンプの駆動等により消火水槽の消火水を上記スプリンクラーヘッドに引き続いて加圧送水する、という動作が行われている（特許文献１）。
【先行技術文献】
【特許文献】
【０００４】
【特許文献１】特開平６−１０５９２７
【発明の概要】
【発明が解決しようとする課題】
【０００５】
ところで、上記消火設備において、上記複数の火災感知器を接続する接続線に断線が生じ、当該火災感知器での感知信号が上記制御盤にて検出不能となった場合、上記予作動式流水検知装置の主弁が開放されないため、消火動作が行われないという問題がある。
【０００６】
このため、上記火災感知器の接続線に断線が生じたことを断線検出回路にて検出し、かかる断線検出状態において、スプリンクラーヘッドが火災により開放して二次側の圧力が低下したときは圧力検出スイッチ等によりこれを検出して予作動式流水検知装置の主弁を開放するように構成し、火災感知器の接続線に断線が生じたときにも、上記スプリンクラーヘッドによる消火動作を行わせるように構成した予作動式の消火設備が提案されている（特許文献１）。
【０００７】
しかしながら、上記従来の消火設備は、火災感知器の断線検出という非常事態において、火災感知器の断線検出と圧力検出スイッチの圧力低下検出の両方の条件が満たされたとき、予作動式流水検知装置の主弁を開放する、というものであるから、上記圧力検出スイッチを構成する接続線に断線が生じ、上記スプリンクラーヘッドの開放に伴う上記二次側圧力の低下を検出できない事態となった場合は、予作動式流水検知装置の開放が行われず、消火活動が行われないという事態が予測される。
【０００８】
よって、予作動式消火設備としては、従来の火災感知器の接続線の断線の場合だけではなく、その他の不測事態においても、確実に消火活動が行われるような設備の実現が望まれている。
【０００９】
本発明は、上記従来の課題に鑑みてなされたものであり、火災感知器の接続線の断線だけではなく、二次側の圧力低下を検出する圧力監視スイッチの接続線に断線が生じた場合においても、確実に消火活動が行われるように構成した予作動式消火設備を提供することを目的とする。
【００１０】
また、火災感知器の接続線と圧力監視スイッチの接続線の両方に断線が発生した場合においては、火災未発生時においては消火水による水損害の発生を抑止しつつ、火災が発生した場合は、確実に消火活動を行うことができる予作動式消火設備を提供することを目的とする。
【課題を解決するための手段】
【００１１】
上記の目的を達成するため本発明は、
第１に、一次側の配管を主弁の閉鎖状態の予作動式流水検知装置に接続すると共に、該検知装置に閉鎖型スプリンクラーヘッドを設けた二次側の配管を接続し、上記二次側の減圧を検出する二次側減圧監視スイッチを設け、火災感知器の火災感知に基づく火災感知信号と、上記スプリンクラーヘッドの開放による上記二次側減圧監視スイッチの減圧検出信号とによって上記予作動式流水検知装置の上記主弁を開放する予作動制御部を有する予作動式消火設備において、上記火災感知器の接続線の断線を検出し第１の断線検出信号を発生する第１の断線検出回路と、上記二次側減圧監視スイッチの接続線の断線を検出し第２の断線検出信号を発生する第２の断線検出回路を設け、上記第１の断線検出信号を検出している状態において、上記減圧検出信号を検出したとき、又は、上記第２の断線検出信号を検出している状態において、上記火災感知信号を検出したとき、上記予作動式流水検知装置の上記主弁を開放するための主弁開放信号を発生する主弁開放手段を設けたものであることを特徴とする予作動式消火設備により構成される。
【００１２】
上記一次側の配管は一次側配管（２）等により構成される。上記二次側の配管は二次側配管（５）、スプリンクラー配管（４）等により構成される。上記二次側減圧監視スイッチは例えば二次側充水用圧力監視スイッチ（ＰＳ３）により構成することができる。上記予作動式流水検知装置は、例えば主弁（１０）を有する弁本体（６）、バイパス配管（１１ａ，１２）、検出用配管（１３）、制御用配管（１５）、主弁開放用電動弁（１４）等により構成することができる。上記第１の断線検出信号は断線検出信号（Ｓ２）により構成することができる。上記第１の断線検出回路は断線検出回路（２３ｂ）により構成することができる。上記第２の断線検出信号は断線検出信号（Ｓ４）により構成することができる。上記第２の断線検出回路は断線検出回路（２５ｂ）により構成することができる。上記主弁開放手段は例えばＯＲ回路（２４ａ，２４ｂ）、ＡＮＤ回路（２４ｃ）により構成することができる。上記主弁開放信号は駆動信号（Ｓ７）により構成することができる。このように構成すると、主弁開放手段は、火災感知器の接続線の断線時だけではなく、二次側減圧監視スイッチの接続線が断線した状態において、火災感知信号を検出したとき、予作動式流水検知装置の主弁を開放するものであるため、かかる主弁開放状態において火災の熱により閉鎖型スプリンクラーヘッドが開放したとき、該ヘッドからの消火水の放出に基づく例えば一次側の配管の圧力低下に基づいて消火ポンプ等を駆動して消火水を配管に加圧送水することにより、迅速に消火活動を行うことができる。このように火災感知器の接続線の断線時だけでなく、二次側減圧監視スイッチの接続線の断線時においても、支障なく消火活動を行うことができる。
【００１３】
第２に、上記主弁開放手段は、上記第１の断線検出信号と上記第２の断線検出信号を共に検出したとき、上記予作動式流水検知装置の上記主弁を開放するための上記主弁開放信号を発生するものであることを特徴とする上記第１記載の予作動式消火設備により構成される。
【００１４】
このように構成すると、火災感知器の接続線が断線し、同時期に二次側減圧監視スイッチの接続線が断線する非常事態において、主弁開放手段はこれらを検出して予作動式流水検知装置の主弁を開放するものであるから、かかる事態において、火災が発生し閉鎖型スプリンクラーヘッドが開放したときは、該ヘッドからの消火水の放出に基づく例えば一次側の配管の圧力低下に基づいて消火ポンプ等を駆動して消火水を配管に加圧送水することにより、迅速に消火活動を行うことができる。このように火災感知器の接続線と二次側減圧監視スイッチの接続線の両方が断線するという非常事態においても、火災が発生した場合は支障なく消火活動を行うことができる。尚、仮に火災が発生していない状態においては、スプリンクラーヘッドは閉鎖した状態を維持するので、予作動式流水検知装置の主弁が開放されても水損害は発生することはない。
【００１５】
第３に、一次側の配管を主弁の閉鎖状態の予作動式流水検知装置に接続すると共に、該検知装置に閉鎖型スプリンクラーヘッドを設けた二次側の配管を接続し、上記二次側の減圧を検出する二次側減圧監視スイッチを設け、火災感知器の火災感知に基づく火災感知信号と、上記スプリンクラーヘッドの開放による上記二次側減圧監視スイッチの減圧検出信号とによって上記予作動式流水検知装置の上記主弁を開放する予作動制御部を有する予作動式消火設備において、上記火災感知器の接続線の断線を検出し第１の断線検出信号を発生する第１の断線検出回路と、上記二次側減圧監視スイッチの接続線の断線を検出し第２の断線検出信号を発生する第２の断線検出回路を設け、上記第１の断線検出信号と上記第２の断線検出信号を共に検出したとき、上記予作動式流水検知装置の上記主弁を開放するための主弁開放信号を発生する主弁開放手段を設けたものであることを特徴とする予作動式消火設備により構成される。
【００１６】
このように構成すると、上記第２の発明と同様に、火災感知器の接続線と二次側減圧監視スイッチの接続線の両方が同時期に断線するという非常事態において、主弁開放手段はこれら検出して予作動式流水検知装置の主弁を開放するものであるから、かかる事態において、火災が発生し閉鎖型スプリンクラーヘッドが開放したときは、該ヘッドからの消火水の放出に基づいて例えば一次側の消火ポンプ等を駆動して消火水を配管に加圧送水することにより、迅速に消火活動を行うことができる。このように上記非常事態においても、火災が発生した場合は支障なく消火活動を行うことができる。
【００１７】
第４に、一次側の配管を主弁の閉鎖状態の予作動式流水検知装置に接続すると共に、該検知装置に閉鎖型スプリンクラーヘッドを設けた二次側の配管を接続し、上記二次側の減圧を検出する二次側減圧監視スイッチを設け、火災感知器の火災感知に基づく火災感知信号と、上記スプリンクラーヘッドの開放による上記二次側減圧監視スイッチの減圧検出信号とによって上記予作動式流水検知装置の上記主弁を開放する予作動制御部を有する予作動式消火設備において、上記二次側減圧監視スイッチの接続線の断線を検出し断線検出信号（Ｓ４）を発生する断線検出回路（２５ｂ）を設け、上記断線検出信号（Ｓ４）を検出している状態において、上記火災感知信号を検出したとき、上記予作動式流水検知装置の上記主弁を開放するための主弁開放信号を発生する主弁開放手段を設けたものであることを特徴とする予作動式消火設備により構成される。
【００１８】
このように構成すると、主弁開放手段は、二次側減圧監視スイッチの接続線が断線した状態において、火災感知信号を検出したとき、予作動式流水検知装置の主弁を開放するものであるため、かかる主弁開放状態において火災の熱により閉鎖型スプリンクラーヘッドが開放したとき、同様に、迅速に消火活動を行うことができる。
【００１９】
第５に、上記予作動式流水検知装置の上記主弁が開放した状態において、上記閉鎖型スプリンクラーヘッドの開放に基づく一次側の配管の圧力低下に基づいて、消火ポンプを駆動して上記一次側の配管に消火水を加圧送水する消火ポンプ駆動手段を設けたものであることを特徴とする上記第１〜４の何れかに記載の予作動式消火設備により構成される。
【００２０】
上記消火ポンプ駆動手段は一次側の配管の圧力タンク（Ｔ）及び該圧力タンク（Ｔ）に接続され、一次側の配管の圧力低下を検出したときに一次側の配管に消火水貯水槽（２７）等からの消火水を加圧送水する消火ポンプ（Ｐ）を駆動する一次側減圧監視スイッチ（ＰＳ４）等により構成することができる。このように構成すると、予作動式流水検知装置の主弁開放状態において、火災により閉鎖型スプリンクラーヘッドが開放したとき、消火水が一次側の配管及び二次側の配管を介して上記ヘッドより放出されるため、迅速に消火活動を行うことができる。
【発明の効果】
【００２１】
本発明は上述のように構成したので、火災感知器の接続線の断線時だけではなく、二次側減圧監視スイッチの接続線が断線した場合においても、火災感知信号を検出したときに消火活動を可能とするものであるので、安全性の非常に高い予作動式消火設備を実現したものである。
【００２２】
また、火災感知器の接続線が断線し、同時期に二次側減圧監視スイッチの接続線が断線したとしても、主弁開放手段はこれら検出して予作動式流水検知装置の主弁を開放するものであるから、かかる非常事態においても火災が発生した場合は消火活動を可能とし、極めて安全性の高い予作動式消火設備を実現したものである。
【００２３】
また、二次側減圧監視スイッチの接続線が断線した場合において、火災感知信号を検出したときに消火活動を可能とするものであるので、安全性の非常に高い予作動式消火設備を実現したものである。
【００２４】
また、予作動式流水検知装置の主弁開放状態において、閉鎖型スプリンクラーヘッドが閉鎖状態を維持している限りは消火水の放水は行われないので、水損害の発生をも抑制することができる。
【００２５】
また、予作動式流水検知装置の主弁開放状態において、火災により閉鎖型スプリンクラーヘッドが開放したときは、消火ポンプ駆動手段の消火ポンプの駆動動作に基づいて迅速に消火活動を行うことができるものである。
【図面の簡単な説明】
【００２６】
【図１】本発明に係る予作動式消火設備の予作動式流水検知装置を中心とした配管構成図である。
【図２】同上消火設備の電気的構成を含めた全体構成図である。
【図３】同上消火設備の電気的構成を含めた全体構成図である。
【図４】（イ）（ロ）共に、断線検出回路の具体的構成図である。
【図５】同上消火設備における主弁開放手段を含む制御手段の機能的ブロック図である。
【発明を実施するための形態】
【００２７】
先ず、本発明に係る予作動式消火設備について図１により説明する。
【００２８】
この予作動式消火設備１は、消火水貯水槽２７及び消火ポンプ（消火水加圧送水用消火ポンプ）Ｐ(図２、図３参照)に接続された一次側配管２、閉鎖型スプリンクラーヘッド３につながるスプリンクラー配管４に接続された二次側配管５、上記一次側配管２と上記二次側配管５との間に介挿された弁本体６を具備する湿式の予作動式流水検知装置６’により構成されている。上記予作動式流水検知装置６’の上記弁本体６は、上記一次側弁室６ｂと上記二次側弁室６ｃとの間に、開口部６ａを介して設けられた制御室７を有している。この弁本体６は、上記制御室７の筺体７ａにロッド８が固定されており、このロッド８に装着されたスプリング９により上記開口部６ａ方向に付勢され、該開口部６ａに当接して該開口部６ａを常時閉鎖状態とする主弁１０を有している。
【００２９】
１０ａは上記主弁１０を上記ロッド８に沿って摺動自在に支持する環状のダイヤフラムである。この予作動式消火設備１は、火災警戒状態では、一次側配管２、一次側弁室６ｂ、二次側配管５、二次側弁室６ｃ及び制御室７内は消火水（図１の弁本体６中ハッチングにて示している）で満たされており、従って上記閉鎖型スプリンクラーヘッド３の末端まで上記スプリンクラー配管４を通じて消火水が満たされたいわゆる湿式の消火設備を構成している。
【００３０】
ＰＳ１は上記主弁１０の開放に基づく上記開口部６ａ近傍の流水を検知すると、配管１０ｂを介してこれを検出し、後述の予作動制御部２４（図２、図３参照）に対して表示用等に使用するアラーム信号を送出するアラームスイッチ、ＰＳ２は上記二次側弁室６ｃに接続され、閉鎖型スプリンクラーヘッド３が開放（発砲）して放水することによる二次側弁室６ｃ等の二次側の圧力低下を検出したとき、上記予作動制御部２４に表示用等の信号を送出する二次側減警報用圧力監視スイッチ、ＰＳ３は同じく二次側弁室６ｃに接続され、スプリンクラーヘッド３が開放（発砲）して放水することによる二次側弁室６ｃ等の二次側の圧力低下を検出したとき、予作動制御部２４に検出信号（検出電流Ｉ２）を送出する二次側充水用圧力監視スイッチ（二次側減圧監視スイッチ）、ＰＳ４は（図２）閉鎖型スプリンクラーヘッド３の開放（発砲）による一次側配管２の減圧を該配管２に接続された圧力タンクＴを介して検出するための一次側圧力監視スイッチであり、該圧力監視スイッチＰＳ４は一次側配管２の減圧を検出したときは、消火ポンプＰを駆動して消火水貯水槽２７内の消火水を一次側配管２に加圧送水するものである。
【００３１】
上記弁本体６の一次側弁室６ｂと二次側弁室６ｃはバイパス管１１ａで接続されおり、かつ該バイパス管１１ａには二次側充水用手動弁１１が設けられており、さらに当該二次側充水用手動弁１１と並列にバイパス管１２が上記一次側弁室６ｂと二次側弁室６ｃ間に接続されている。上記バイパス管１２には、二次側充水用電動弁１７が設けられており、上記バイパス管１１ａ，１２は検出用配管１３を介して、主弁開放用電動弁１４に接続され、かつ検出用配管１３は管路途中の分岐点ａから制御用配管１５を介して上記制御室７に接続されている。上記主弁開放用電動弁１４は排水管１６に接続されている。１８は上記弁本体６の二次側弁室６ｃに接続された排水弁であり、排水管１９に接続されている。
【００３２】
また、図１において、２８ａは検出用配管１３に設けられたオリフィス、２８ｂは同じく配管１３に設けられた逆止弁、２９は上記制御用配管１５の調整弁、３０，３１は各々圧力監視スイッチＰＳ２，ＰＳ２用の調整弁、３２はオリフィス、３３は信号停止弁、３４は手動起動弁、Ｍ１は主弁開放用電動弁１４の駆動モータ、Ｍ２は二次側充水用電動弁１７の駆動モータ、３５はストレーナーである。本実施形態においては、図１において、上記弁本体６を中心として、バイパス配管１１ａ，１２、検出用配管１３、制御用配管１５、主弁開放用電動弁１４等により予作動式流水検知装置を構成しているが、予作動式流水検知装置はかかる構成に限定されず、火災感知器、減圧監視スイッチ等による火災の検出に基づいて弁体を開放して弁体の一次側から消火水をスプリンクラーヘッドに送水可能な状態とする装置を含む。
【００３３】
火災警戒状態では、上記消火ポンプＰを駆動して消火水貯水槽２７から一次側配管２に消火水を加圧送水し、上記一次側配管２及び弁本体６の一次側弁室６ｂに消火水を充填し、さらに上記二次側充水用手動弁１１及び二次側充水用電動弁１７を開放してバイパス管１１ａ，１２を介して弁本体６の二次側及び検出用配管１３にも消火水を充填する。よって、上記検出用配管１３及び制御用配管１５を介して上記制御室７及び主弁開放用電動弁１４まで消火水が充填され、かつ、上記二次側弁室６ｃ及び二次側配管５及びスプリクラー配管４を介して閉鎖型スプリンクラーヘッド３の末端まで消火水が充填される。その後、上記充水弁１１，１７を閉鎖して火災警戒状態に設定することができる。このとき、主弁１０は上記スプリング９の付勢力により上記開口部６ａを閉鎖した状態（主弁閉鎖状態）となっている。また上記二次側減警報用圧力監視スイッチＰＳ２、二次側充水用圧力監視スイッチＰＳ３の配管にも消火水が満たされた状態となっている。
【００３４】
また上記主弁開放用電動弁１４の駆動モータＭ１、上記二次側充水用電動弁１７の駆動モータＭ２は上記予作動制御部２４に接続されており、上記駆動モータＭ１，Ｍ２は、上記制御部２４からの駆動信号により各々駆動制御されるように構成されている。尚、図１において火災警戒状態において、消火水で満たされている配管部分を黒塗で示している。
【００３５】
図２は自動火災報知部（自火報盤）２３及び予作動制御部（予作動制御盤）２４を含む上記予作動式消火設備１の全体構成図、図３は図２の消火設備の電気的構成をより詳細に示した全体構成図である。これらの図において、上記スプリンクラー配管４には複数の閉鎖型スプリンクラーヘッド３が接続されている。これらのスプリンクラーヘッド３は各階の天井に適宜間隔をおいて設置される。尚、上記閉鎖型スプリンクラーヘッド３は例えば熱により発砲するグラスバルブを有するものであり、閉鎖状態から火災の熱によりグラスバルブが所定の温度に達すると該グラスバルブの破裂によりバルブが開放してスプリンクラー配管４内の消火水を放水するものである。
【００３６】
また、上記スプリンクラーヘッド３の設置位置に近接して、上記天井等の複数個所に、火災の熱又は火災による煙を感知して感知信号を発する熱・煙感知器（以下、「火災感知器」という）２０が複数個設置されている。これらの火災感知器２０は、図３に示すように、自動火災報知部２３内の感知器オン信号検出回路２３ａに接続線Ｌ１を介して互いに並列に接続されており、これら火災感知器２０によって構成される回路を接続回路Ｃ１という。尚、上記火災感知器２０は、その設置位置を区別して説明するときは、図３に示すように、同図左から２０Ａ，２０Ｂ，２０Ｃ，・・という符号をつけて示し、特に設置位置を区別しない場合、或いは全体を示す場合は火災感知器２０と表示する。
【００３７】
よって、何れかの火災感知器２０において熱又は煙を検知してその接点２０ａがオンすると、当該火災感知器２０に感知電流Ｉ１が流れるので、当該感知電流Ｉ１を感知器オン信号検出回路２３ａにて検出することにより、火災が発生して何れかの火災感知器２０がオンしたことを検出できるように構成されている。上記感知器オン信号検出回路２３ａは上記感知電流Ｉ１を検出した場合は、予作動制御部２４のＯＲ回路２４ａに火災感知信号Ｓ１を送出するものである。
【００３８】
また、上記接続回路Ｃ１の終端には各火災感知器２０に並列に終端抵抗Ｒ１が接続されており、自動火災報知部２３は上記終端抵抗Ｒ１に常時微弱電流ｉ１が流れるように構成している。そして、上記自動火災報知部２３には、上記接続回路Ｃ１の接続線Ｌ１の断線を検出し得る断線検出回路２３ｂが設けられている。この断線検出回路２３ｂは上記接続線Ｌ１に直列に接続された電流計Ａと電流検出部２３ｂ’により構成されており（図４（イ）参照）、何れの火災感知器２０もオンしていない状態において、上記終端抵抗Ｒ１に流れる微弱電流ｉ１を常時検出している。よって、上記断線検出回路２３ｂは上記微弱電流ｉ１を検出している場合は、上記接続回路Ｃ１に断線は発生していないと判断し、何ら信号を送出しない。一方、上記断線検出回路２３ｂは、上記接続回路Ｃ１の接続線Ｌ１の何れかの箇所に断線が生じ、上記微弱電流ｉ１が消勢した場合、上記電流検出部２３ｂ’は当該断線による上記微弱電流ｉ１の消勢を検出し、断線検出信号（第１の断線検出信号）Ｓ２を上記予作動制御部２４のＯＲ回路２４ａに送出するものである。
【００３９】
上記二次側充水用圧力監視スイッチ（二次側減圧監視スイッチ）ＰＳ３は、予作動制御部２４内の検出部２５の二次圧減圧検出回路２５ａに接続線Ｌ２を介して接続されている。具体的には図３に示すように、上記二次側充水用圧力監視スイッチＰＳ３は、接続線Ｌ２を介して上記検出回路２５ａに並列に接続されており、これにより上記二次側充水用圧力監視スイッチＰＳ３を含む接続回路Ｃ２が形成されている。
【００４０】
そして、上記圧力監視スイッチＰＳ３は、上記予作動式流水検知装置６’の弁本体６の二次側弁室６ｃ等の二次側の圧力低下を検出したときその接点２６がオンして上記接続回路Ｃ２に検出電流Ｉ２が流れるように構成されている。このとき、上記二次圧減圧検出回路２５ａは上記検出電流Ｉ２を検出し、減圧検出信号Ｓ３を予作動制御部２４内のＯＲ回路２４ｂに送出するものである。
【００４１】
また、上記接続回路Ｃ２の終端には上記二次側充水用圧力監視力スイッチＰＳ３に並列に終端抵抗Ｒ２が接続されており、上記検出部２５は上記終端抵抗Ｒ２に常時微弱電流ｉ２が流れるように構成している。そして、上記検出部２５内において、上記接続回路Ｃ２を構成する接続線Ｌ２に断線検出回路（第２の断線検出回路）２５ｂが設けられている。この断線検出回路２５ｂは上記接続線Ｌ２に直列に接続された電流計Ａと電流検出部２５ｂ’により構成されている（図４（ロ）参照）。上記断線検出回路２５ｂは上記二次側充水用圧力監視スイッチＰＳ３がオンしていない状態において、上記終端抵抗Ｒ２に流れる微弱電流ｉ２を常時検出しており、当該微弱電流ｉ２を検出している場合は、上記接続回路Ｃ２に断線は生じていないと判断し何ら信号を送出しない。そして、上記電流検出部２５ｂ’は上記接続回路Ｃ２の接続線Ｌ２の何れかの箇所に断線が生じた場合、該断線による上記微弱電流ｉ２の消勢を検出し、断線検出信号（第２の断線検出信号）Ｓ４を上記ＯＲ回路２４ｂに送出するものである。
【００４２】
上記予作動制御部２４は、上記自動火災報知部２３に接続されると共に、上述のように内部の検出部２５の二次圧減圧検出回路２５ａに上記二次側充水用圧力監視スイッチＰＳ３が接続回路Ｃ２の接続線Ｌ２を介して接続されると共に、上記接続線Ｌ２に上記断線検出回路２５ｂが設けられている。
【００４３】
上記予作動制御部２４は、上記一方入力端子が上記感知器オン信号検出回路２３ａに接続され、他方入力端子が上記断線検出回路２３ｂに接続されたＯＲ回路（火災感知器検出手段）２４ａ、上記二次圧減圧検出回路２５ａ、断線検出回路２５ｂからなる検出部２５、一方入力端子が上記二次圧減圧検出回路２５ａに接続され、他方入力端子が上記断線検出回路２５ｂに接続されたＯＲ回路（二次側圧力検出手段）２４ｂ、さらに上記ＯＲ回路２４ａ，２４ｂの出力が２つの入力端子に各々接続されたＡＮＤ回路（駆動手段）２４ｃを具備しており、上記ＡＮＤ回路２４ｃの出力端子は、上記主弁開放電動弁１４の駆動モータＭ１に接続されている。
【００４４】
即ち、図５に示すように、上記予作動制御部２４内の上記ＯＲ回路２４ａの一方入力端子には上記感知器オン信号検出回路２３ａの出力（火災感知信号Ｓ１）が接続され、上記ＯＲ回路２４ａの他方入力端子には断線検出回路２３ｂの出力（第１の断線検出信号Ｓ２）が接続されている。よって、当該ＯＲ回路２４ａは、当該ＯＲ回路２４ａに上記火災感知信号Ｓ１又は断線検出信号Ｓ２の何れかの信号が入力したときは、ハイレベルの出力信号Ｓ５をＡＮＤ回路２４ｃの一方入力端子に出力し、上記何れの信号Ｓ１，Ｓ２も入力しないときは、ローレベルの出力となるものである。
【００４５】
また、上記予作動制御部２４内のＯＲ回路（二次側圧力検出手段）２４ｂの一方入力端子には上記二次圧減圧検出回路２５ａの出力（減圧検出信号Ｓ３）が接続され、上記ＯＲ回路２４ｂの他方入力端子には断線検出回路２５ｂの出力（第２の断線検出信号Ｓ４）が接続されている。よって、当該ＯＲ回路２４ｂは、当該ＯＲ回路２４ｂに上記減圧検出信号Ｓ３又は断線検出信号Ｓ４の何れかの信号が入力したときは、ハイレベルの出力信号Ｓ６をＡＮＤ回路２４ｃの他方入力端子に出力し、上記何れの信号Ｓ３，Ｓ４も入力しないときは、ローレベルの出力となるものである。
【００４６】
上記ＡＮＤ回路（駆動手段）２４ｃは、上記ＯＲ回路２４ａの出力が一方端子に接続されており、上記ＯＲ回路２４ｂの出力が他方端子に接続されており、上記ＯＲ回路２４ａからのハイレベルの出力信号Ｓ５と上記ＯＲ回路２４ｂからのハイレベルの出力信号Ｓ６が共に入力したとき、主弁開放用電動弁１４を開放するための駆動モータＭ１の駆動信号（主弁開放信号）Ｓ７を上記駆動モータＭ１に送出し、当該駆動モータＭ１を駆動して上記主弁開放用電動弁１４を開放するものである。
【００４７】
即ち、上記ＡＮＤ回路２４ｃは、火災が発生して上記何れかの上記火災感知器２０がオンし、火災感知信号Ｓ１に基づく上記ＯＲ回路２４ａからのハイレベルの出力信号Ｓ５、又は、上記接続回路Ｃ１の接続線Ｌ１が断線し、断線検出信号Ｓ２に基づく上記ＯＲ回路２４ａからのハイレベルの出力信号Ｓ５の何れかが一方入力端子に入力し、かつ、何れかのスプリンクラーヘッド３が開放（発砲）し、減圧検出信号Ｓ３に基づく上記ＯＲ回路２４ｂからハイレベルの出力信号Ｓ６、又は、接続回路Ｃ２の接続線Ｌ２が断線し、断線検出信号Ｓ４に基づく上記ＯＲ回路２４ｂからのハイレベルの出力信号Ｓ６の何れかが他方入力端子に入力し、これによりハイレベルの上記出力信号Ｓ５とハイレベルの上記出力信号Ｓ６の両方の出力信号が入力して、アンド条件が満たされたときに、上記駆動信号Ｓ７を出力するものである。
【００４８】
本発明は上述のように構成されるので、次に本発明の動作について説明する。
【００４９】
火災警戒状態（火災未発生時）においては、図１に示すように、一次側配管２及び弁本体６の一次側弁室６ｂ、二次側弁室６ｃ、制御室７は消火水で満たされており、さらに弁本体６の一次側と二次側を結ぶバイパス配管１１ａ，１２、二次側充水用圧力監視スイッチＰＳ３及び二次圧減警報用圧力監視スイッチＰＳ２までの配管、及び検出用配管１３における主弁開放用電動弁１４までの配管、制御用配管１５も消火水で満たされている。さらに、上記二次側配管５からスプリンクラー配管４を介して閉鎖型スプリンクラーヘッド３先端まで消火水が充満している、所謂、湿式の予作動式消火設備１を構成している。
【００５０】
そして上記火災警戒状態においては、自動火災報知部２３は、上記接続回路Ｃ１に微弱電流を常時流しており、断線の発生していない状態においては、断線検出回路２３ｂは終端抵抗Ｒ１に流れる微弱電流ｉ１を常時検出している。よって、断線検出回路２３ｂから予作動制御部２４のＯＲ回路２４ａには断線検出信号Ｓ２は送出されていない。
【００５１】
また、かかる火災警戒状態においては、予作動制御部２４の検出部２５は、上記接続回路Ｃ２に微弱電流を常時流しており、断線が発生していない状態においては、断線検出回路２５ｂは終端抵抗Ｒ２に流れる微弱電流ｉ２を常時検出している。よって、断線検出回路２５ｂから予作動制御部２４のＯＲ回路２４ｂには断線検出信号Ｓ４は送出されていない。
【００５２】
（１）断線の生じていない場合の火災発生時
ここで、火災が発生し、何れかの火災感知器２０が火災を検知してその接点２０ａがオンすると、感知電流Ｉ１が流れるので、これを自動火災報知部２３の感知器オン信号検出回路２３ａが検出し、該感知器オン信号検出回路２３ａが予作動制御部２４のＯＲ回路２４ａに対して火災感知信号Ｓ１を送出する。
【００５３】
すると上記ＯＲ回路２４ａからハイレベルの出力信号Ｓ５がＡＮＤ回路２４ｃの一方入力端子に送出される。
【００５４】
一方、上記火災の熱によりオンした上記火災感知器２０近傍のいずれかのスプリンクラーヘッド３が火災の熱により開放（発砲）すると、スプリンクラー配管４及び二次側配管５に充満している消火水が上記スプリンクラーヘッド３から放水されるので、上記弁本体６の二次側弁室６ｂ及び二次側配管５の圧力が減少する。よって、二次側充水用圧力監視スイッチＰＳ３が二次側の圧力低下を検出してその接点２６がオン状態となる。すると、当該監視スイッチＰＳ３に検出電流Ｉ２が流れるので、二次圧減圧検出回路２５ａがこれを検出し、ＯＲ回路２４ｂの一方入力端子に減圧検出信号Ｓ３を送出する。尚、この時点で二次圧減警報用圧力監視スイッチＰＳ２もオンするので、これに基づいて当該監視スイッチＰＳ２からの検出信号に基づいて予作動制御部２４にて二次側の圧力の減圧を示す警報ランプ等が表示される。
【００５５】
すると上記ＯＲ回路２４ｂからハイレベルの出力信号Ｓ６がＡＮＤ回路２４ｃの他方入力端子に送出される。
【００５６】
上記予作動制御部２４のＡＮＤ回路２４ｃにおいては、上記ハイレベルの出力信号Ｓ５とＳ６によりアンド条件が満たされるので、当該ＡＮＤ回路２４ｃから駆動モータM１に駆動信号（主弁開放信号）Ｓ７が送出され、これにより主弁開放用電動弁１４が開放される。よって、上記検出用配管１３内の消火水及び制御室７内の消火水が上記電動弁１４を介して排水管１６に流出していく。
【００５７】
そうすると、予作動式流水検知装置６’の弁本体６の制御室７の圧力が弁本体６の一次側弁室６ｂの圧力より低下するため、弁本体６の一次側弁室６ｂの圧力に押されて主弁１０がスプリング９に抗して開放され、これにより一次側配管２内の消火水が弁本体６の一次側から上記開口部６ａを介して二次側に流出していく。即ち、予作動式流水検知装置６’の主弁１０が開放される。
【００５８】
このとき、一次側配管２の上流側の圧力タンクＴを介して一次側減圧監視スイッチＰＳ４が圧力タンクＴを介して一次側配管２の圧力低下を検出し、これに基づいて消火ポンプＰに駆動信号を送出し、該消火ポンプＰが駆動される。すると、消火水貯水槽２７内の消火水が上記消火ポンプＰにより一次側配管２内に加圧送水されるため、上記消火水は一次側配管２、開状態の弁本体６、二次側配管５、スプリンクラー配管４を通じて開放した上記スプリンクラーヘッド４から放水され、引き続いて当該スプリンクラーヘッド３からの放水が継続され、消火活動が持続的に行われる。
【００５９】
（２）火災感知器２０の接続回路Ｃ１の接続線Ｌ１の断線時
火災警戒状態において、火災感知器２０を構成する接続回路Ｃ１の接続線Ｌ１の位置Ｘ１（図３）が断線した場合において、上記断線位置Ｘ１より終端抵抗Ｒ１側の火災感知器２０Ａの設置位置にて火災が発生し、火災感知器２０Ａの接点２０ａがオンした場合を検討すると、上記接続線Ｌ１は位置Ｘ１にて断線しているため、当該接点２０ａがオンしても、検出電流Ｉ１が流れないため、感知器オン信号検出回路２３ａにて上記感知器２０Ａのオンを検出することはできない。
【００６０】
しかしながら、上記位置Ｘ１の接続線Ｌ１の断線により、接続回路Ｃ１において微弱電流ｉ１が消勢するため、自動火災報知部２３の断線検出回路２３ｂはかかる微弱電流ｉ１の消勢を検出し、予作動制御部２４のＯＲ回路２４ａに断線検出信号（第１の断線検出信号）Ｓ２を送出する。よって、かかる断線時においては、上記ＯＲ回路２４ａからハイレベルの出力信号Ｓ５がＡＮＤ回路２４ｃの一方の入力端子に入力している火災検知可能状態となっている。
【００６１】
ここで、上記火災の熱により上記火災感知器２０Ａ近傍のスプリンクラーヘッド３が開放（発砲）すると、スプリンクラー配管４及び二次側配管５に充満している消火水が上記ヘッド３から放水されるので、上記弁本体６の二次側弁室６ｃ及び二次側配管５の圧力が減少する。よって、二次側充水用圧力監視スイッチＰＳ３が上記二次側の圧力低下を検出してその接点２６がオン状態となる。すると、当該圧力スイッチＰＳ３に検出電流Ｉ２が流れるので、予作動制御部２４の検出部２５の二次圧減圧検出回路２５ａがこれを検出し、上記ＯＲ回路２４ｂに減圧検出信号Ｓ３を送出する。よって、上記ＯＲ回路２４ｂから上記ＡＮＤ回路２４ｃの他方の入力端子にハイレベルの出力信号Ｓ６が送出される。
【００６２】
すると、上記予作動制御部２４のＡＮＤ回路２４ｃにおいて、上記断線検出信号Ｓ２に基づくハイレベルの出力信号Ｓ５と、上記減圧検出信号Ｓ３に基づくハイレベルの出力信号Ｓ６によってアンド条件が満たされるので、当該ＡＮＤ回路２４ｃから駆動モータＭ１に駆動信号Ｓ７が送出され、これにより主弁開放用電動弁１４が開放される。よって、上記検出用配管１３内の消火水及び制御室７内の消火水が上記電動弁１４を介して排水管１６に流出していく。
【００６３】
そうすると、上記（１）と同様に、弁本体６の一次側弁室６ｂの圧力に押されて予作動式流水検知装置６’の主弁１０がスプリング９に抗して開放され、これにより一次側配管２内の消火水が弁本体６の一次側から上記開口部６ａを介して二次側に流出して行くため、一次側の上記圧力タンクＴを介して一次側減圧監視スイッチＰＳ４が一次側配管２の圧力低下を検出し消火ポンプＰが駆動される。
【００６４】
すると、消火水貯水槽２７内の消火水が上記消火ポンプＰにより一次側配管２に送出されるため、上記消火水は一次側配管２、開状態の弁本体６、二次側配管５、スプリンクラー配管４を通じて上記スプリンクラーヘッド４から放水され、引き続いてスプリンクラーヘッド３からの放水が継続され、消火活動が行われる。
【００６５】
このように、複数の火災感知器２０を接続する接続回路Ｃ１の接続線Ｌ１に断線が発生したとしても、火災発生時においては何ら支障なく消火動作を行うことができる。
【００６６】
（３）二次側充水用圧力監視スイッチＰＳ３の接続回路Ｃ２の接続線Ｌ２の断線時
次に、火災警戒状態において、二次側充水用圧力監視スイッチＰＳ３を接続する接続回線Ｃ２の位置Ｘ２が断線した場合を検討する。
【００６７】
かかる断線状態において火災が発生し、何れかのスプリンクラーヘッド３が発砲し、弁本体６の二次側配管５及びスプリンクラー配管４の消火水が上記スプリンクラーヘッド３から流出し、これによる二次側の圧力低下を二次側充水用圧力監視スイッチＰＳ３で検出し、当該スイッチＰＳ３の接点２６がオンしたとしても、上記接続線Ｌ２の上記位置Ｘ２が断線しているので、検出電流Ｉ２が流れず、よって、当該圧力スイッチＰＳ３のオンを予作動制御部２４における検出部２５の二次圧減圧検出回路２５ａにて検出することはできない。
【００６８】
しかしながら、上記位置Ｘ２の断線により、接続回路Ｃ２の接続線Ｌ２において微弱電流ｉ２が消勢するため、上記予作動制御部２４の上記検出部２５の断線検出回路２５ｂは、かかる微弱電流ｉ２の消勢を検出し、予作動制御部２４の上記ＯＲ回路２４ｂに断線検出信号（第２の断線検出信号）Ｓ４を送出する。よって、かかる断線時においては、上記ＯＲ回路２４ｂからハイレベルの出力信号Ｓ６が上記ＡＮＤ回路２４ｃの他方の入力端子に入力している火災検知可能状態となっている。
【００６９】
ここで、上記火災の熱により上記発砲したスプリンクラーヘッド３の近傍の上記火災感知器２０（火災感知器２０Ｂとする）が火災の熱又は煙を感知すると、当該感知器２０Ｂの接点２０ａがオンするため、接続回路Ｃ１に感知電流Ｉ１が流れる。よって、上記自動火災報知部２３の感知器オン信号検出回路２３ａは、上記感知電流Ｉ１に基づいて感知器２０Ｂのオンを検出し、火災感知信号Ｓ１を予作動制御部２４のＯＲ回路２４ａに送出する。該ＯＲ回路２４ａは上記火災感知信号Ｓ１の入力に基づいてハイレベルの出力信号Ｓ５をＡＮＤ回路２４ｃに送出する。
【００７０】
すると上記予作動制御部２４のＡＮＤ回路２４ｃにおいて、上記断線検出信号Ｓ４に基づくハイレベルの出力信号Ｓ６と、上記火災感知信号Ｓ１に基づくハイレベルの出力信号Ｓ５によってアンド条件が満たされるので、当該ＡＮＤ回路２４ｃから駆動モータＭ１に駆動信号Ｓ７が送出され、これにより主弁開放用電動弁１４が開放されるので、上記検出用配管１３内の消火水及び制御室７内の消火水が上記電動弁１４を介して排水管１６に流出していく。
【００７１】
そうすると、上記（１）と同様に、弁本体６の一次側弁室６ｂの圧力に押されて予作動式流水検知装置６’の主弁１０がスプリング９に抗して開放され、これにより一次側配管２内の消火水が弁本体６の一次側から上記開口部６ａを介して二次側に流出して行き、一次側の上記圧力タンクＴを介して一次側減圧監視スイッチＰＳ４が一次側配管２の圧力低下を検出し消火ポンプＰが駆動される。
【００７２】
よって、消火水貯水槽２７内の消火水が一次側配管２に加圧送水され、上記消火水は一次側配管２、開状態の弁本体６、二次側配管５、スプリンクラー配管４を通じて上記スプリンクラーヘッド４から放水され、引き続いて当該スプリンクラーヘッド３からの放水が継続され、消火活動が行われる。
【００７３】
このように、二次側充水用圧力監視スイッチＰＳ３の接続回路Ｃ２の接続線Ｌ２が断線したとしても、火災発生時においては何ら支障なく消火動作を行うことができる。
【００７４】
（４）火災感知器２０の接続回路Ｃ１の接続線Ｌ１と二次側充水用圧力監視スイッチＰＳ３の接続回路Ｃ２の接続線Ｌ２の両方が断線したとき
【００７５】
(イ)火災未発生時
上記火災感知器２０の接続回路Ｃ１の接続線Ｌ１の上記位置Ｘ１が断線した場合を検討すると、この場合、接続線Ｌ１において微弱電流ｉ１が消勢するため、断線検出回路２３ｂはかかる微弱電流ｉ１の消勢を検出し、予作動制御部２４のＯＲ回路２４ａに断線検出信号（第１の断線検出信号）Ｓ２を送出する。よって、かかる断線時においては、上記ＯＲ回路２４ａからハイレベルの出力信号Ｓ５が上記ＡＮＤ回路２４ｃの一方の入力端子に入力している火災検知可能状態となっている。
【００７６】
さらに、上記二次側充水用圧力監視スイッチＰＳ３の接続回路Ｃ２の接続線Ｌ２の位置Ｘ２も同時期に断線したとすると、接続線Ｌ２において微弱電流ｉ２が消勢するため、断線検出回路２５ｂはかかる微弱電流ｉ２の消勢を検出し、予作動制御部２４のＯＲ回路２４ｂに断線検出信号（第２の断線検出信号）Ｓ４を送出する。よって、かかる断線時においては、上記ＯＲ回路２４ｂからハイレベルの出力信号Ｓ６が上記ＡＮＤ回路２４ｃの他方の入力端子に入力する。
【００７７】
そうすると、上記ＡＮＤ回路２４ｃは上記断線検出信号Ｓ２，Ｓ４に基づくハイレベルの出力信号Ｓ５，Ｓ６によりアンド条件が満たされるので、当該ＡＮＤ回路２４ｃから駆動モータＭ１に駆動信号Ｓ７が送出され、これにより主弁開放用電動弁１４が開放される。
【００７８】
よって、上記検出用配管１３内の消火水及び制御室７内の消火水が上記電動弁１４を介して排水管１６に流出していく。すると弁本体６の制御室７の圧力が弁本体６の一次側弁室６ｂの圧力より低下するため、該弁本体６の一次側弁室６ｂの圧力に押されて予作動式流水検知装置６’の主弁１０がスプリング９に抗して開放される。
【００７９】
しかしながら、現時点では火災は発生しておらず、何れの閉鎖型スプリンクラーヘッド３も開放（発砲）していないので、弁本体６の一次側から二次側への水流は生ずることはない。
【００８０】
このように、上記両接続回路Ｃ１，Ｃ２の接続線Ｌ１，Ｌ２が共に同時期に断線した場合は、主弁開放用電動弁１４が駆動されて予作動式流水検知装置６’の弁本体６の主弁１０が開放されるが、閉鎖型スプリンクラーヘッド３からの放水が行われないため、消火水による水損害は発生しない。
【００８１】
尚、このとき主弁１０の開放はアラームスイッチＰＳ１により検出され、予作動制御部２４にアラーム信号が送出されるため、予作動制御部２４において主弁が開放した旨が表示される。よって、操作者は、当該表示に基づいて上記接続回路Ｃ１とＣ２の両方の断線の可能性を認識することができる。
【００８２】
（ロ）火災発生時
次に、上記接続回路Ｃ１，Ｃ２の断線時であって、弁本体６の上記主弁開放状態において、実際に火災が発生し、何れかのスプリンクラーヘッド３が開放（発砲）した場合は、弁本体６の一次側（一次側配管２、一次側弁室６ｂ）及び二次側（二次側弁室６ｃ、二次側配管５、スプリンクラー配管４）の消火水が開放したスプリンクラーヘッド３から放水されるため、一次側配管２の圧力が低下する。よって、一次側の上記圧力タンクＴを介して上記一次側減圧監視スイッチＰＳ４が一次側配管２の圧力低下を検出し消火ポンプＰを駆動する。
【００８３】
すると、上記消火水貯水槽２７内の消火水が上記消火ポンプＰにより一次側配管２に加圧送水されるため、上記消火水は一次側配管２、開状態の弁本体６、二次側配管５、スプリンクラー配管４を通じて発砲状態の上記スプリンクラーヘッド４から放水され、引き続いてスプリンクラーヘッド３からの放水が継続され、消火活動が行われる。
【００８４】
このように、火災感知器２０の接続回路Ｃ１の接続線Ｌ１と二次側充水用圧力監視スイッチＰＳ３の接続回路Ｃ２の接続線Ｌ２が共に同時期に断線した状態においても、火災が発生してスプリンクラーヘッドが開放（発砲）した場合には、確実に消火動作を行うことができるものである。
【００８５】
上述のように本発明によれば、火災感知器２０の接続回路Ｃ１の断線のみならず、二次側充水用圧力監視スイッチＰＳ３の接続回路Ｃ２に断線が生じた場合においても、何ら支障なく消火活動を行うことができる。
【００８６】
また、火災感知器２０の接続回路Ｃ１及び二次側充水用圧力監視スイッチＰＳ３の接続回路Ｃ２が共に断線した場合においは、予作動式流水検知装置６’の弁本体６を開放状態とするが、閉鎖型スプリンクラーヘッド３からは消火水が放出されない消火活動待機状態とすることができるので、当該状態において消火水による損害等の発生を防止することができる。
【００８７】
しかも、かかる消火活動待機状態において、火災が発生し、何れかの閉鎖型スプリンクラーヘッド３が当該火災によって開放（発砲）した場合は、一次側配管２の圧力低下に基づいて消火ポンプＰを駆動して上記スプリンクラーヘッド３からの放水を直ちに開始することができるものである。
【００８８】
従って、本発明によれば、火災感知器２０を接続する接続回路Ｃ１の接続線Ｌ１の断線時、二次側充水用圧力監視スイッチＰＳ３を接続する接続回路Ｃ２の接続線Ｌ２の断線時、及び火災感知器２０を接続する接続回路Ｃ１の接続線Ｌ１及び二次側充水用圧力監視スイッチＰＳ３を接続する接続回路Ｃ２の接続線Ｌ２の両方の断線時、の何れの場合においても、火災が発生した場合は、スプリンクラーヘッド３からの放水による消火活動を確実に行うことができるという効果を有するものである。
【００８９】
本発明は上述のように構成したので、火災感知器２０の接続回路Ｃ１の断線時だけではなく、二次側充水用圧力監視スイッチＰＳ３の接続回路Ｃ２が断線した場合においても、火災感知信号Ｓ１を検出したときに消火活動を可能とするものであるので、安全性の非常に高い予作動式消火設備を実現することができる。
【００９０】
また、火災感知器２０の接続回路Ｃ１が断線し、同時期に二次側充水用圧力監視スイッチＰＳ３の接続回路Ｃ２が断線したとしても、主弁開放手段においてこれらを検出して予作動式流水検知装置６’の主弁１０を開放するものであるから、かかる非常事態においても火災が発生した場合は消火活動を可能とする極めて安全性の高い予作動式消火設備を実現したものである。
【００９１】
また、弁本体６の主弁開放状態において、閉鎖型スプリンクラーヘッド３が閉鎖状態を維持している限りは消火水の放水は行われないので、水損害の発生をも抑制することができる。
【００９２】
また、弁本体６の主弁開放状態において、火災により閉鎖型スプリンクラーヘッド３が開放したときは、消火ポンプ駆動手段の消火ポンプの駆動動作に基づいて迅速に消火活動を行うことができるものである。
尚、本実施形態では、所謂、湿式の予作動式消火設備について説明したが、本発明は、予作動式流水検知装置の一次側配管に消火水を充填し、上記流水検知装置の二次側配管に空気を充填した乾式の予作動式消火設備についても適用可能である。
【産業上の利用可能性】
【００９３】
本発明に係る予作動式消火設備は、極めて安全性が高いので、商業ビル、アパート、駅等の公共施設等、消火設備が必要な建造物に広く適用が可能である。
【符号の説明】
【００９４】
１          予作動式消火設備
２          一次側配管（一次側の配管）
３          閉鎖型スプリンクラーヘッド
４          スプリンクラー配管（二次側の配管）
５          二次側配管（二次側の配管）
６          弁本体
６’        予作動式流水検知装置
１０        主弁
２０        火災感知器
２３ｂ      断線検出回路（第１の断線検出回路）
２４        予作動制御部
２４ａ      ＯＲ回路
２４ｂ      ＯＲ回路
２４ｃ      ＡＮＤ回路
２５ｂ      断線検出回路（第２の断線検出回路）
Ｌ１，Ｌ２  接続線
ＰＳ３      二次側充水用圧力監視スイッチ（二次側減圧監視スイッチ）
ＰＳ４      一次側減圧監視スイッチ
Ｓ１        火災感知信号
Ｓ２        断線検出信号（第１の断線検出信号）
Ｓ３        減圧検出信号
Ｓ４        断線検出信号（第２の断線検出信号）
Ｓ７        駆動信号（主弁開放信号）
Ｔ          圧力タンク
【図１】
0005469565.tif 000002
【図２】
0005469565.tif 000003
【図３】
0005469565.tif 000004
【図４】
0005469565.tif 000005
【図５】
0005469565.tif 000006